(57)【要約】【課題】ＩＣカードの取り付けが容易で、低コストを実現可能なＩＣカード用固定およびアース部材を提供する。【解決手段】台座１０と第一係止素子２０と第二係止素子３０とを備え、台座１０は、金属シートで一体成形されたものであり、回路板のアース回路を跨る基板部１１を有し、基板部１１の中段には嵌合穴１２が横方向に沿って形成され、第一係止素子２０及び第二係止素子３０は、金属シートで一体成形されたものであり、台座１０にある嵌合穴１２の両側にそれぞれ緊密に嵌合する固定連接段２１、３１を有し、固定連接段２１、３１から押圧用凸部２３、３３が延設し、押圧用凸部２３、３３と台座１０の基板部１１との間には一つのＩＣカードを緊密に挟むことが可能である。【選択図】図２
0003126198.tif 000002
【実用新案登録請求の範囲】
【請求項１】
台座と、第一係止素子と、第二係止素子とを備えるＩＣカード用固定およびアース部材において、
前記台座は、金属シートで一体成形されたものであり、回路板のアース回路を跨る基板部を有し、前記基板部の中段には嵌合穴が横方向に沿って形成され、
前記第一係止素子は、金属シートで一体成形されたものであり、前記台座にある嵌合穴の第一側に緊密に嵌合する固定連接段を有し、前記固定連接段から押圧用凸部が延設され、前記押圧用凸部と前記台座の基板部との間には一つのＩＣカードを緊密に挟むことが可能であり、
前記第二係止素子は、金属シートで一体成形されたものであり、前記台座にある嵌合穴の第二側に緊密に嵌合する固定連接段を有し、前記固定連接段から押圧用凸部が延設され、前記押圧用凸部と前記台座の基板部との間には一つのＩＣカードを緊密に挟むことが可能であることを特徴とするＩＣカード用固定およびアース部材。
【請求項２】
前記台座の中段にある嵌合穴の両側の穴壁には係り穴がそれぞれ開設してあり、前記二つの係り穴には、第一係止素子と第二係止素子との位置決め用フックがそれぞれ係止されることを特徴とする請求項１に記載のＩＣカード用固定およびアース部材。
【請求項３】
前記台座の嵌合穴の両側の穴壁には位置決め用凸部がそれぞれ凸設してあり、前記二つの位置決め用凸部には、前記第一係止素子と第二係止素子とに位置決められた係り穴がそれぞれ係止されることを特徴とする請求項１に記載のＩＣカード用固定およびアース部材。
【請求項４】
前記台座の基板部の両側はそれぞれ湾折されてコ字形の受け台部に形成され、前記二つの受け台部の上でＩＣカードを跨って放置可能であることを特徴とする請求項１に記載のＩＣカード用固定およびアース部材。
【請求項５】
前記第一係止素子は、固定連接段と、挟みアームと、押圧用凸部とを備え、
前記固定連接段は、Ｕ字形を呈し、その上では前記穴壁の係り穴に係止する位置決め用フックが凸設してあり、
前記挟みアームは、前記固定連接段の第一自由段の末端から曲がって伸びて形成されたものであり、前記固定連接段の第一自由段と前記挟みアームとの間には挟み溝が形成され、前記挟み溝は前記台座の嵌合穴の第一側に位置する穴壁を弾性的に緊密に挟み、
前記押圧用凸部は、前記固定連接段の第二自由段の末端から曲がって伸びて形成されたものであることを特徴とする請求項１に記載のＩＣカード用固定およびアース部材。
【請求項６】
前記挟みアームには係り穴が開設してあり、前記係り穴に前記穴壁にある位置決め用凸部が係止されることを特徴とする請求項５に記載のＩＣカード用固定およびアース部材。
【請求項７】
前記第二係止素子は、固定連接段と、挟みアームと、押圧用凸部とを備え、
前記固定連接段は、Ｕ字形を呈し、その上では前記穴壁の係り穴に係止する位置決め用フックが凸設してあり、
前記挟みアームは、前記固定連接段の第一自由段の末端から曲がって伸びて形成されたものであり、前記固定連接段の第一自由段と前記挟みアームとの間には挟み溝が形成され、前記挟み溝は前記台座の嵌合穴の第二側に位置する穴壁を弾性的に緊密に挟み、
前記押圧用凸部は、前記固定連接段の第二自由段の末端から曲がって伸びて形成されたものであることを特徴とする請求項１に記載のＩＣカード用固定およびアース部材。
【請求項８】
前記挟みアームには係り穴が開設してあり、前記係り穴に前記穴壁にある位置決め用凸部が係止されることを特徴とする請求項７に記載のＩＣカード用固定およびアース部材。
【考案の詳細な説明】
【技術分野】
【０００１】
本考案は、ＩＣカード用固定およびアース部材に係り、特に、それぞれ独立した第一係止素子と第二係止素子とを台座の両側にそれぞれ係止することにより、一つのＩＣカードを独立に固定しアース可能なＩＣカード用固定およびアース部材に関するものである。
【背景技術】
【０００２】
従来のＩＣカード用固定およびアース部材は、図６から図９に示すように、台座７１と、弾性素子７２と、アース素子７３とを備え、前記台座７１は、回路板６０の上で跨って設置され、その両側にはＩＣカード５０を跨って連接する受け台７１１がそれぞれ形成され、前記弾性素子７２は、その中央が前記台座７１の中段に嵌められ、その両側には前記台座７１の両側にある受け台７１１の上方に伸び出す突出係り部７２１ａ、７２１ｂがそれぞれ形成され、前記突出係り部７２１と前記受け台７１１とにより前記ＩＣカード５０が弾性的に緊密に挟まれ、前記アース素子７３は、多数のアース用ピン７３１を有し、前記アース用ピン７３１がそれぞれ前記台座７１を挿通して回路板５０のアース回路と電気的に連接し、前記アース素子７３が前記弾性素子７２の上面に接触するように設置され、これにより、前記ＩＣカード５０が前記弾性素子７２を通じてアース素子７３によってアース可能である。
【考案の開示】
【考案が解決しようとする課題】
【０００３】
しかしながら、これは次のような欠点があった。
（イ）上記弾性素子７２は、長形のストリップ形状を呈し、その中央が台座７１に嵌合されるので、ＩＣカード５０を置き入れる場合には、置き入れ角度が不正確であることが多く、図８の二点鎖線で示すように、弾性素子７２の一側にある突出係り部７２１ａをまず押圧し、弾性素子７２が一体成形されたものであるので、前記突出係り部７２１ａが押圧されて変位するときに、他側にある突出係り部７２１ｂが逆方向に変位してＩＣカード５０の置き入れ経路に進入し、これによりＩＣカード５０の取り付けは困難になるか、又はもっと大きい力を加えないと、ＩＣカード５０を取り付けることはできない。
（ロ）上記台座７１は樹脂で一体成形されたものであるので、その両側にある受け台部７１１の高さは変更できず、異なったメーカで生産されたＩＣカードを取り付ける場合には、ＩＣカード５０を設置する高さを変更する必要があるので、メーカが異なった高さの受け台部７１１を射出成形するための金型を別に製造する必要があり、且つ元のアース素子７３のアース用ピン７３１の高さも一緒に変更する必要があるので、設計変更が必要であり、生産コストが増加する。
（ハ）上記アース素子７３は弾性素子７２と跨って接触するので、その接触は全面的に接触できず、アースが確実に実施できず、ＩＣカード５０は正常に稼動できないおそれがある。
【課題を解決するための手段】
【０００４】
上記欠点を解決するためになされた本考案は、台座と、第一係止素子と、第二係止素子とを備えるＩＣカード用固定およびアース部材において、前記台座は、金属シートで一体成形されたものであり、回路板のアース回路を跨る基板部を有し、前記基板部の中段には嵌合穴が横方向に沿って形成され、前記第一係止素子は、金属シートで一体成形されたものであり、前記台座にある嵌合穴の第一側に緊密に嵌合する固定連接段を有し、前記固定連接段から押圧用凸部が延設し、前記押圧用凸部と前記台座の基板部との間には一つのＩＣカードを緊密に挟むことが可能であり、前記第二係止素子は、金属シートで一体成形されたものであり、前記台座にある嵌合穴の第二側に緊密に嵌合する固定連接段を有し、前記固定連接段から押圧用凸部が延設し、前記押圧用凸部と前記台座の基板部との間には一つのＩＣカードを緊密に挟むことが可能であることを特徴とするＩＣカード用固定およびアース部材であることを要旨としている。
【０００５】
本考案では、前記台座の中段にある嵌合穴の両側の穴壁には係り穴がそれぞれ開設してあり、前記二つの係り穴には、第一係止素子と第二係止素子との位置決め用フックがそれぞれ係止されてもよい。
本考案では、前記台座の嵌合穴の両側の穴壁には位置決め用凸部がそれぞれ凸設してあり、前記二つの位置決め用凸部には、前記第一係止素子と第二係止素子とに位置決められた係り穴がそれぞれ係止されてもよい。
【０００６】
本考案では、前記台座の基板部の両側はそれぞれ湾折されてコ字形の受け台部に形成され、前記二つの受け台部の上でＩＣカードを跨って放置することが可能である。
本考案では、前記第一係止素子は、固定連接段と、挟みアームと、押圧用凸部とを備え、前記固定連接段は、Ｕ字形を呈し、その上では前記穴壁の係り穴に係止する位置決め用フックが凸設してあり、前記挟みアームは、前記固定連接段の第一自由段の末端から曲がって伸びて形成されたものであり、前記固定連接段の第一自由段と前記挟みアームとの間には挟み溝が形成され、前記挟み溝は前記台座の嵌合穴の第一側に位置する穴壁を弾性的に緊密に挟み、前記押圧用凸部は、前記固定連接段の第二自由段の末端から曲がって伸びて形成されたものであってもよい。
【０００７】
本考案では、前記挟みアームには係り穴が開設してあり、前記係り穴に前記穴壁にある位置決め用凸部が係止されてもよい。
本考案では、前記第二係止素子は、固定連接段と、挟みアームと、押圧用凸部とを備え、前記固定連接段は、Ｕ字形を呈し、その上では前記穴壁の係り穴に係止する位置決め用フックが凸設してあり、前記挟みアームは、前記固定連接段の第一自由段の末端から曲がって伸びて形成されたものであり、前記固定連接段の第一自由段と前記挟みアームとの間には挟み溝が形成され、前記挟み溝は前記台座の嵌合穴の第二側に位置する穴壁を弾性的に緊密に挟み、前記押圧用凸部は、前記固定連接段の第二自由段の末端から曲がって伸びて形成されたものであってもよい。
本考案では、前記挟みアームには係り穴が開設してあり、前記係り穴に前記穴壁にある位置決め用凸部が係止されてもよい。
【０００８】
（考案の効果）
本考案のＩＣカード用固定およびアース部材によれば、次のような効果がある。
（イ）台座と第一係止素子と第二係止素子とは金属シートで作製されたものであり、且つ第一係止素子と第二係止素子とが前記台座に弾性的に緊密に係止されるので、アース効果は安定で良好になる。
（ロ）第一係止素子と第二係止素子とは台座の両側に独立に挿入し連接されたので、変形を回避することができ、且つ互いの連動によってＩＣカードの置き入れが困難になることもなくなる。
（ハ）構造が簡単化され、組付作業は容易になる。
（ニ）台座と第一係止素子と第二係止素子とは金属シートをプレス成形によって成形されたものであるので、強度が高く、使用寿命がもっと長く延びる。
（ホ）異なったメーカで生産されたＩＣカードによって受け台部とアース用ピンとの高さを設計変更する必要がなくなるので、射出成形するための金型を別に製造する必要がなく、生産コストが低減される。
【考案を実施するための最良の形態】
【０００９】
以下、添付図面を参照して本考案の好適な実施の形態を詳細に説明する。
まず、図１から図５を参照する。本考案のＩＣカード用固定およびアース部材は、台座１０と、第一係止素子２０と、第二係止素子３０とを備える。前記台座１０は、金属シートで一体成形されたものであり、回路板６０のアース回路を跨る基板部１１を有し、前記基板部１１の中段には嵌合穴１２が横方向に沿って形成される。前記第一係止素子２０は、金属シートで一体成形されたものであり、前記台座１０にある嵌合穴１２の第一側に緊密に嵌合する固定連接段２１を有し、前記固定連接段２１から押圧用凸部２３が延設し、前記押圧用凸部２３と前記台座１０の基板部１１との間には一つのＩＣカード５０を緊密に挟むことができる。前記第二係止素子３０は、金属シートで一体成形されたものであり、前記台座１０にある嵌合穴１２の第二側に緊密に嵌合する固定連接段３１を有し、前記固定連接段３１から押圧用凸部３３が延設し、前記押圧用凸部３３と前記台座１０の基板部１１との間には一つのＩＣカード５０を緊密に挟むことが可能である。回路板６０の端子連接用コネクター４０の方向に前記ＩＣカード５０を押圧すると、前記ＩＣカード５０は前記端子連接用コネクター４０と安定して電気的に連接し、これにより、緊密に挟まれた前記ＩＣカード５０は、安定して固定されると共に、回路板６０のアースと直接に良好に電気的に接続することもできる。
【００１０】
図１と図３に示すように、本実施例のＩＣカード用固定およびアース部材は、前記台座１０の中段にある嵌合穴１２の両側の穴壁１２１には係り穴１２２がそれぞれ開設してあり、前記二つの係り穴１２２には、第一係止素子２０と第二係止素子３０との位置決め用フック２１３、３１３がそれぞれ係止され、これにより、第一係止素子２０と第二係止素子３０とが容易に離脱することができない。
【００１１】
また、本実施例のＩＣカード用固定およびアース部材は、前記台座１０の嵌合穴１２の両側の穴壁１２１には位置決め用凸部１２３がそれぞれ凸設してあり、前記二つの位置決め用凸部１２３には、前記第一係止素子２０と第二係止素子３０とに位置決められた係り穴２２２、３２２がそれぞれ係止され、これにより、第一係止素子２０と第二係止素子３０とが容易に離脱することができない。
また、本実施例のＩＣカード用固定およびアース部材は、前記台座１０の基板部１１底部が鍍金されて、溶接や螺着などの方法で前記回路板６０に固定され、且つ前記回路板６０のアース回路と電気的に連接するので、図６に示す従来のアース素子７３が必要なくなる。
【００１２】
また、図１から図５に示すように、本実施例のＩＣカード用固定およびアース部材は、前記台座１０の基板部１１の両側がそれぞれ湾折されてコ字形の受け台部１１１に形成され、前記二つの受け台部１１１の上でＩＣカード５０を跨って放置することが可能であり、放置されるＩＣカード５０を受ける装置の必要な高さが異なるので、メーカは、前記受け台部１１１の寸法を変更するだけで、異なった高さを持つ受け台部１１１を湾折し形成することができ、したがって、異なったメーカで生産されたＩＣカードによって受け台部とアース用ピンとの高さを設計変更することが必要なくなり、射出成形するための金型を別に製造する必要がなく、生産コストが低減される。
【００１３】
また、本実施例のＩＣカード用固定およびアース部材は、前記第一係止素子２０が、金属シートで一体成形されたものであり、一つの固定連接段２１と、一つの挟みアーム２２と、一つの押圧用凸部２３とを備え、前記固定連接段２１は、Ｕ字形を呈し、前記台座１０の嵌合穴１２の第一側を弾性的に緊密に塞ぎ、その上では前記穴壁１２１の係り穴１２２に係止する位置決め用フック２１３が凸設してあり、前記挟みアーム２２は、前記固定連接段２１の第一自由段２１１の末端から曲がって伸びて形成されたものであり、前記固定連接段２１の第一自由段２１１と前記挟みアーム２２との間には挟み溝２２０が形成され、前記挟み溝２２０は前記台座１０の嵌合穴１２の第一側に位置する穴壁１２１を弾性的に緊密に挟み、また、前記挟みアーム２２には係り穴２２２が開設してあり、前記係り穴２２２に前記穴壁１２１にある位置決め用凸部１２３が係止され、前記押圧用凸部２３は、前記固定連接段２１の第二自由段２１２の末端から曲がって伸びて形成されたものであり、前記台座１０の嵌合穴１２の第一側に前記固定連接段２１を挿入し嵌合したときに、前記押圧用凸部２３が前記台座１０の受け台部１１１の上方に位置するようになり、これにより、前記押圧用凸部２３と受け台部１１１とは一つのＩＣカード５０を緊密に挟むことが可能であり、前記第二自由段２１２によって、回路板６０の上で設けられた端子連接用コネクター４０の方向に前記ＩＣカード５０を押圧すると、前記前記ＩＣカード５０は前記端子連接用コネクター４０と安定に電気的に連接するようになる。
【００１４】
また、本実施例のＩＣカード用固定およびアース部材は、前記第二係止素子３０が、金属シートで一体成形されたものであり、一つの固定連接段３１と、一つの挟みアーム３２と、一つの押圧用凸部３３とを備え、前記固定連接段３１は、Ｕ字形を呈し、前記台座１０の嵌合穴１２の第二側を弾性的に緊密に塞ぎ、その上では前記穴壁１２１の係り穴１２２に係止する位置決め用フック３１３が凸設してあり、前記挟みアーム３２は、前記固定連接段３１の第一自由段３１１の末端から曲がって伸びて形成されたものであり、前記固定連接段３１の第一自由段３１１と前記挟みアーム３２との間には挟み溝３２０が形成され、前記挟み溝３２０は前記台座１０の嵌合穴１２の第二側に位置する穴壁１２１を弾性的に緊密に挟み、また、前記挟みアーム３２には係り穴３２２が開設してあり、前記係り穴３２２に前記穴壁１２１にある位置決め用凸部１２３が係止され、前記押圧用凸部３３は、前記固定連接段３１の第二自由段３１２の末端から曲がって伸びて形成されたものであり、前記台座１０の嵌合穴１２の第二側に前記固定連接段３１を挿入し嵌合したときに、前記押圧用凸部３３が前記台座１０の受け台部１１１の上方に位置するようになり、これにより、前記押圧用凸部３３と受け台部１１１とは一つのＩＣカード５０を緊密に挟むことが可能である。
【００１５】
次に、本実施例のＩＣカード用固定およびアース部材の組付方法を詳細に説明する。図１から図３に示すように、前記台座１０の嵌合穴１２の両側に、前記第一係止素子２０と第二係止素子３０とをそれぞれ挿入し係止すると、組付作業が完成する。したがって、本実施例の組付作業は、極めて快速で簡単である。また、本実施例のＩＣカード用固定およびアース部材にＩＣカード５０を置き入れるときに、前記第一係止素子２０と第二係止素子３０との押圧用凸部２３、３３がそれぞれ前記ＩＣカード５０に押圧され、さらに、前記第一係止素子２０と第二係止素子３０とは独立なものであるので、互いに連動しない特性を有し、図３における二点鎖線で示すように、ＩＣカード５０の置き入れ角度が正確でなくても、何れか一つの係止素子（すなわち、第一係止素子２０、又は第二係止素子３０）を先に押圧しても、他の係止素子（すなわち、第二係止素子３０、又は第一係止素子２０）が連動してＩＣカード５０の置き入れ位置に進入しないので、ＩＣカード５０の置き入れ作業は容易に実施できる。
【図面の簡単な説明】
【００１６】
【図１】本考案の一実施例によるＩＣカード用固定およびアース部材の分解斜視図である。
【図２】本考案の一実施例によるＩＣカード用固定およびアース部材の組合状態を示す斜視図である。
【図３】図２における３‐３線の断面図である。
【図４】本考案の一実施例によるＩＣカード用固定およびアース部材が回路板に適用された状態を示す模式図である。
【図５】本考案の一実施例によるＩＣカード用固定およびアース部材にＩＣカードを係止した状態を示す模式図である。
【図６】従来のＩＣカード用固定およびアース部材の分解斜視図である。
【図７】従来のＩＣカード用固定およびアース部材の組合状態を示す斜視図である。
【図８】図７における８‐８線の断面図である。
【図９】従来のＩＣカード用固定およびアース部材の使用状態を示す模式図である。
【符号の説明】
【００１７】
１０  台座、１１  基板部、１１１  受け台部、１２  嵌合穴、１２１  穴壁、１２２  係り穴、１２３  位置決め用凸部、２０  第一係止素子、２１  固定連接段、２１１  第一自由段、２１２  第二自由段、２１３  位置決め用かフック、２２  挟みアーム、２２０  挟み溝、２２２  係り穴、２３  押圧用凸部、３０  第二係止素子、３１  固定連接段、３１１  第一自由段、２１２  第二自由段、３１３  位置決め用フック、３２  挟みアーム、３２０  押圧用凸部、４０  端子連接用コネクター、５０  ＩＣカード、６０  回路板
【図１】
0003126198.tif 000003
【図２】
0003126198.tif 000004
【図３】
0003126198.tif 000005
【図４】
0003126198.tif 000006
【図５】
0003126198.tif 000007
【図６】
0003126198.tif 000008
【図７】
0003126198.tif 000009
【図８】
0003126198.tif 000010
【図９】
0003126198.tif 000011